(57)【要約】【課題】バリヤ装置において、防塵、防滴等を図りつつバリヤ部材を円滑に作動させる。【解決手段】カバー１０とベース２０とからなる開口部を画定するケース、開口部に臨む閉鎖位置と開口部から後退した開放位置との間を移動自在にケース内に配置されたバリヤ部材３０、バリヤ部材を開閉駆動するべくケース内に配置された駆動部４１ａを有する駆動源４０を備え、ケースには、バリヤ部材の移動を許容しつつバリヤ部材に接触する吸湿部材５０が配置されている。これによれば、バリヤ部材がケース内おいて移動して開口部を開閉する際に、バリヤ部材３０の周りを伝わって侵入してきた水滴等は吸湿部材５０で吸収されて、駆動部が配置された領域への侵入が防止される。これにより、簡単な構造にて、低コスト化を達成しつつ、駆動源及びその他の関連する電子部品等を水滴等から保護することができる。【選択図】図４
2009098486.tif 000002
【特許請求の範囲】
【請求項１】
開口部を画定するケースと、前記開口部に臨む閉鎖位置と前記開口部から後退した開放位置との間を移動自在に前記ケース内に配置されたバリヤ部材と、前記バリヤ部材を開閉駆動するべく前記ケース内に配置された駆動部を有する駆動源と、を備えたバリヤ装置であって、
前記ケースには、前記バリヤ部材の移動を許容しつつ前記バリヤ部材に接触する吸湿部材が配置されている、
ことを特徴とするバリヤ装置。
【請求項２】
前記ケースは、前記バリヤ部材を移動自在に通す隙間部を画定し、
前記吸湿部材は、前記隙間部の領域において、前記バリヤ部材と接触するように設けられている、
ことを特徴とする請求項１に記載のバリヤ装置。
【請求項３】
前記ケースは、前記隙間部に臨む又は隣接する領域において、前記吸湿部材よりも前記開口部側寄りでかつ前記バリヤ部材の移動範囲に亘って形成された溝部を有する、
ことを特徴とする請求項２に記載のバリヤ装置。
【請求項４】
前記ケースは、前記開口部の前側を画定するカバーと、前記カバーの背面に結合されて前記開口部の後側を画定するベースを含み、
前記カバー及びベースの少なくとも一方には、前記バリヤ部材の面と接触する前記吸湿部材が設けられている、
ことを特徴とする請求項１ないし３いずれか一つに記載のバリヤ装置。
【請求項５】
前記カバー及びベースは、前記バリヤ部材を移動自在に通す隙間部を画定すると共に少なくとも前記駆動部を前記開口部から隔離する隔離壁部を有し、
前記吸湿部材は、前記隔離壁部において、前記隙間部に露出して前記バリヤ部材と接触するように設けられている、
ことを特徴とする請求項４に記載のバリヤ装置。
【請求項６】
前記隔離壁部には、隙間をおいて前記吸湿部材を挿着する凹部が形成されている、
ことを特徴とする請求項５に記載のバリヤ装置。
【請求項７】
前記カバー及びベースは、前記隔離壁部に隣接する領域において、前記吸湿部材よりも前記開口部側寄りでかつ前記バリヤ部材の移動範囲に亘って形成された溝部を有する、
ことを特徴とする請求項５又は６に記載のバリヤ装置。
【請求項８】
前記吸湿部材は、前記開口部から前記駆動部に向う方向において、前記バリヤ部材に沿って所定の間隔をおいて配置された複数の吸湿部材を含む、
ことを特徴とする請求項１ないし７いずれか一つに記載のバリヤ装置。
【請求項９】
前記バリヤ部材は、前記ベースに対して揺動自在に設けられ、
前記ベースには、前記駆動源が設けられている、
ことを特徴とする請求項１ないし８いずれか一つに記載のバリヤ装置。
【請求項１０】
前記吸湿部材は、吸湿素材又は吸水速乾素材を含む，吸湿繊維又は吸湿樹脂により形成されている、
ことを特徴とする請求項１ないし９いずれか一つに記載のバリヤ装置。
【発明の詳細な説明】
【技術分野】
【０００１】
本発明は、携帯型のデジタルカメラ、携帯電話機等に搭載されたデジタルカメラ等において未使用時にレンズやＮＤフィルタを保護するバリヤ装置に関し、特に、駆動源によりバリヤ部材を開閉駆動する構成において、バリヤ部材が開閉動作のために揺動する隙間領域から駆動源側に水滴等が入り込むのを防止する機能を備えたバリヤ装置に関する。
【背景技術】
【０００２】
従来のバリヤ装置としては、レンズを露出させる略矩形の開口部を画定する先端カバー、先端カバーの背面に退避空間を形成する壁部、レンズの光軸と直交する面内において往復動自在に退避空間に配置されると共に閉時に開口部を閉鎖しかつ開時に開口部を開放する一対のバリヤ部材、略矩形の開口部の上側及び下側開口縁部に沿って退避空間を閉塞する防塵・防滴部材を備えたものが知られている（例えば、特許文献１参照）。
この防塵・防滴部材は、ビニール、ゴム等の薄い可撓性材料により形成されており、一対のバリヤ部材が開口部を閉鎖した状態において一対のバリヤ部材の表面に押圧され、又、一対のバリヤ部材が開口部を開放した状態において壁部に押圧されるように、捩りバネの付勢力により常時付勢された状態となっている。
【０００３】
しかしながら、この防塵・防滴部材においては、略矩形をなす開口部の上側及び下側の開口縁部を閉塞するものであり、開口部の全周を（左右の開口縁部を含めて）閉塞するものではない。したがって、左右の開口部から装置の内部に向けて塵や水滴等が侵入し、バリヤ部材を開閉駆動する駆動源の領域まで入り込む虞がある。
また、防塵・防滴部材は、捩りバネの付勢力により、一対のバリヤ部材の表面又は壁部の表面に対して常時押し付けられた状態となっており、又、防塵・防滴部材が直線的な形状をなしかつ一対のバリヤ部材が防塵・防滴部材に対して垂直な方向に摺動するため、一対のバリヤ部材が開閉動作を行う際に摺動抵抗が大きく又一対のバリヤ部材が防塵・防滴部材に対してスティックを生じ、円滑に開閉動作を行うことができない虞がある。
さらに、防塵・防滴部材がビニールやゴムにより形成されているため、一対のバリヤ部材と防塵・防滴部材との間の摺動抵抗、摩擦力の増加を助長する傾向にあり、又、防塵・防滴部材は捩りバネにより付勢されるため、構造が複雑で、部品点数も多く、コストの増加を招くものである。
【０００４】
【特許文献１】特開２００５−１７３１０４号公報
【発明の開示】
【発明が解決しようとする課題】
【０００５】
本発明は、上記の事情に鑑みて成されたものであり、その目的とするところは、構造の簡素化、低コスト化等を図りつつ、バリヤ部材を駆動源で開閉駆動する構成において、バリヤ部材を円滑に開閉させることができると共に、バリヤ部材が移動する隙間領域（隙間部）から駆動源側に向けて水滴、他の液体、その他の異物等が侵入するのを防止できるバリヤ装置を提供することにある。
【課題を解決するための手段】
【０００６】
本発明のバリヤ装置は、開口部を画定するケースと、開口部に臨む閉鎖位置と開口部から後退した開放位置との間を移動自在にケース内に配置されたバリヤ部材と、バリヤ部材を開閉駆動するべくケース内に配置された駆動部を有する駆動源と、を備えたバリヤ装置であって、上記ケースには、バリヤ部材の移動を許容しつつバリヤ部材に接触する吸湿部材が配置されている、ことを特徴としている。
この構成によれば、バリヤ部材がケース内おいて移動して開口部を開閉する際に、バリヤ部材の周りには、バリヤ部材の移動を許容するように吸湿部材が配置されているため、バリヤ部材の周りを伝わって侵入してきた水滴等は、吸湿部材で吸収されて、駆動部が配置された領域への侵入が防止される。これにより、簡単な構造にて、低コスト化を達成しつつ、駆動源及びその他の関連する電子部品等を水滴等から保護することができる。
【０００７】
上記構成において、ケースは、バリヤ部材を移動自在に通す隙間部を画定し、吸湿部材は、隙間部の領域において、バリヤ部材と接触するように設けられている、構成を採用することができる。
この構成によれば、バリヤ部材は、ケース内に形成された略扁平な隙間部を通して移動自在に配置され、この隙間部の領域において、吸湿部材がバリヤ部材と接触するため、開口部から隙間部に入り込んできた水滴等は、隙間部に配置された吸湿部材により吸収されて、駆動部（及び駆動源の電気配線等）が配置された領域に入り込むのを防止することができる。
【０００８】
上記構成において、ケースは、隙間部に臨む又は隣接する領域において、吸湿部材よりも開口部側寄りでかつバリヤ部材の移動範囲に亘って形成された溝部を有する、構成を採用することができる。
この構成によれば、開口部から隙間部に入り込む水滴等は、吸湿部材に至る前に溝部に入り込ませて溜めることができる。したがって、この溝部で溜められた水滴等は、場合によっては開口部から再び外部に排出させることができ、一方、溝部から隙間部へ入り込んだ場合は吸湿部材により吸収することができる。このように、二段構えの防滴作用により、水滴等の侵入を確実に防止することができる。
【０００９】
上記構成において、ケースは、開口部の前側を画定するカバーと、カバーの背面に結合されて開口部の後側を画定するベースを含み、カバー及びベースの少なくとも一方には、バリヤ部材の面と接触する吸湿部材が設けられている、構成を採用することができる。
この構成によれば、ケースがニ分割可能なベース及びカバーにより形成されるため、バリヤ部材を通す隙間部を容易に画定することができ、又、この隙間部の領域に容易に吸湿部材を配置して固着することができる。また、吸湿部材をカバー及びベースの両方に設けて、バリヤ部材の両側の面に接触するようにした場合は、バリヤ部材を円滑に移動させることができると共に、水滴等の侵入を確実に防止することができる。
【００１０】
上記構成において、カバー及びベースは、バリヤ部材を移動自在に通す隙間部を画定すると共に少なくとも駆動部を開口部から隔離する隔離壁部を有し、吸湿部材は、隔離壁部において、隙間部に露出してバリヤ部材と接触するように設けられている、構成を採用することができる。
この構成によれば、カバー及びベース内の少なくとも駆動部が配置される領域は、外部に連通する開口部側から隔離壁部により隔離（遮断）され、隔離壁部により画定される隙間部を通してのみバリヤ部材が移動自在となっている。
ここで、吸湿部材が隙間部に露出してバリヤ部材と接触しているため、外部から隙間部に入り込んだ水滴等を吸湿部材により吸収することで、隙間部を通過して駆動部の配置領域へ侵入することを防止することができる。
【００１１】
上記構成において、隔離壁部には、隙間をおいて吸湿部材を挿着する凹部が形成されている、構成を採用することができる。
この構成によれば、吸湿部材が隔離壁部に凹部に挿着されると共にその周りに隙間が設けられているため、吸湿部材がその吸湿能力の限界を超えても、水滴等を周りの隙間に溜めることができ、吸収されなかった水滴等の侵入を確実に防止することができる。
【００１２】
上記構成において、カバー及びベースは、隔離壁部に隣接する領域において、吸湿部材よりも開口部側寄りでかつバリヤ部材の移動範囲に亘って形成された溝部を有する、構成を採用することができる。
この構成によれば、開口部から隔離壁部により画定される隙間部に入り込む水滴等は、吸湿部材に至る前に手前に位置する溝部に入り込ませて溜めることができる。したがって、この溝部で溜められた水滴等は、場合によっては開口部から再び外部に排出させることができ、一方、溝部から隔離壁部の隙間部へ入り込んだ場合は吸湿部材により吸収することができる。このように、二段構えの防滴作用及び吸湿部材との相乗効果により、水滴等の侵入を確実に防止することができる。
【００１３】
上記構成において、吸湿部材は、開口部から駆動部に向う方向において、バリヤ部材に沿って所定の間隔をおいて配置された複数の吸湿部材を含む、構成を採用することができる。
この構成によれば、開口部から駆動部が配置される領域に通じる領域（隙間部）において、バリヤ部材に沿って複数の吸湿部材が配置されているため、多段的な吸湿（吸収）作用を得ることができる。したがって、開口部から入り込んできた水滴等の量が多い場合でも、多段的な吸湿（吸収）作用により、駆動部（及び駆動源の電気配線等）が配置された領域への侵入を確実に防止することができる。
【００１４】
上記構成において、バリヤ部材は、ベースに対して揺動自在に設けられ、ベースには、駆動源が設けられている、構成を採用することができる。
この構成によれば、バリヤ部材は駆動源により揺動させられて開口部を開閉し、バリヤ部材の揺動を許容する隙間部から駆動源側への水滴等の侵入が確実に防止されるため、電気配線等を水滴等から保護することができ、機能上の信頼性を高めることができる。
【００１５】
上記構成において、吸湿部材は、吸湿素材又は吸水速乾素材を含む，吸湿繊維又は吸湿樹脂により形成されている、構成を採用することができる。
この構成によれば、効率よく水滴等を吸収し又吸収した後に乾燥させることができ、又、汎用性のある素材を用いることで、低コスト化を達成しつつ、種々の要求に応じた形状に容易に成形することができる。
【発明の効果】
【００１６】
上記構成をなすバリヤ装置によれば、構造の簡素化、低コスト化等を達成しつつ、バリヤ部材を円滑に開閉させることができると共に、バリヤ部材の移動を許容する隙間領域（隙間部）から駆動源等が配置された内部領域に向けて、水滴、他の液体、その他の異物等が侵入するのを確実に防止することができる。
【発明を実施するための最良の形態】
【００１７】
以下、本発明の最良の実施形態について、添付図面を参照しつつ説明する。
図１ないし図７は、本発明に係るバリヤ装置の一実施形態を示すものであり、図１はバリヤ装置を搭載したデジタルカメラの外観斜視図、図２及び図３はバリヤ装置の平面図、図４はバリヤ装置の内部を示す断面図、図５はバリヤ装置の一部をなすカバーの内部を示す平面図、図６はバリヤ装置の一部をなすベースの内部を示す平面図、図７はバリヤ装置の内部を示す部分断面図である。
【００１８】
このバリヤ装置Ｍが搭載されるデジタルカメラＣは、図１に示すように、円形の開口部Ｃ１を有し、開口部Ｃ１の後方の内部空間において、前方Ｆから後方Ｒに向けて順に配置されたバリヤ装置Ｍ、光軸ＬをもつレンズＧを備えている。
バリヤ装置Ｍは、図２ないし図７に示すように、円形をなす前側の開口部１１を画定するケースの一部としてのカバー１０、カバー１０の背面に結合されて円形の後側の開口部２１を画定するケースの一部としてのベース２０、カバー１０及びベース２０により画定される内部空間に収容されたバリヤ部材３０、ベース２０に設けられてバリヤ部材３０を開閉駆動する駆動源としてのアクチュエータ４０、カバー１０の内側及びベース２０の内側に配置された２つの吸湿部材５０等を備えている。
ここで、開口部Ｃ１、前側の開口部１１、及び後側の開口部２１は、光軸Ｌ上に中心をもつように同軸上に配列されている。そして、開口部１１及び開口部２１により、バリヤ装置Ｍのケースにおける開口部を画定している。
【００１９】
カバー１０は、図２ないし図５に示すように、略矩形の輪郭をなすように形成され、レンズＧを露出させるための前側の開口部１１、バリヤ部材３０を揺動自在に通す隙間部Ｄを画定する隔離壁部１２、隔離壁部１２に形成された凹部１３、隔離壁部１２の開口部１１寄りに隣接して形成された円弧状の溝部１４等を備えている。
【００２０】
開口部１１は、図４に示すように、レンズＧの光軸Ｌ上に軸線をもつ円筒状に形成され、図４及び図５に示すように、ベース２０に対向する後端面１１ａを備えている。
後端面１１ａは、円環状でかつ平坦面に形成され、後述するベース２０の前端面２１ａと協働して、バリヤ部材３０が開閉動作する際の移動を許容する隙間を画定している。
【００２１】
隔離壁部１２は、図４及び図５に示すように、後述するベース２０の隔離壁部２２と協働して、アクチュエータ４０の駆動ピン４１ａ（及びその他の関連部品等）が配置される領域Ａを開口部１１側の領域から遮断して隔離するように形成されると共に、その中央領域において、後述するベース２０の隔離壁部２２と協働して、バリヤ部材３０（の腕部３２）を僅かな隙間をおいて揺動自在に通す隙間部Ｄを画定するように段差状に形成されている。
【００２２】
凹部１３は、図４及び図５に示すように、隔離壁部１２の隙間部Ｄの領域において、円弧状をなす吸湿部材５０を、周りに隙間を空けて収容するべく円弧状に形成されている。
すなわち、凹部１３は、吸湿部材５０が挿着された状態で、吸湿部材５０の周りに隙間ができるように形成されているため、吸湿部材５０がその吸湿能力の限界を超えても、水滴等を周りの隙間に溜めることができ、吸収されなかった水滴等の侵入を確実に防止することができる。
【００２３】
溝部１４は、図４及び図５に示すように、隔離壁部１２に隣接する領域において、吸湿部材５０よりも開口部１１側寄りでかつバリヤ部材３０の揺動範囲に亘って円弧状に形成されている。溝部１４は、後端面１１ａ及び前端面２１ａにより画定される隙間から内部に入り込んできた水滴等を溜めて、さらに内部に流れ込むのを抑制する作用をなすものである。
【００２４】
ベース２０は、図２ないし図４、図６に示すように、レンズＧを露出させるための後側の開口部２１、バリヤ部材３０を揺動自在に通す隙間部Ｄを画定する隔離壁部２２、隔離壁部２２に形成された凹部２３、隔離壁部２２の開口部２１寄りに隣接して形成された円弧状の溝部２４、バリヤ部材３０を揺動自在に支持する支軸２５、後述するアクチュエータ４０の駆動ピン４１ａを往復動自在に通す略扇状の貫通孔２６等を備えている。
【００２５】
開口部２１は、図４に示すように、レンズＧの光軸Ｌ上に軸線をもつ円筒状に形成され、図４及び図６に示すように、カバー１０に対向する前端面２１ａを備えている。
前端面２１ａは、円環状でかつ平坦面に形成され、カバー１０の後端面１１ａと協働して、バリヤ部材３０が開閉動作する際の移動を許容する隙間を画定している。
【００２６】
隔離壁部２２は、図４及び図６に示すように、カバー１０の隔離壁部１２と協働して、アクチュエータ４０の駆動ピン４１ａ（及びその他の関連部品等）が配置される領域Ａを開口部１１側の領域から遮断して隔離するように形成されると共に、その中央領域において、カバー１０の隔離壁部１２と協働して、バリヤ部材３０（の腕部３２）を僅かな隙間をおいて揺動自在に通す隙間部Ｄを画定するように段差状に形成されている。
【００２７】
凹部２３は、図４及び図６に示すように、隔離壁部２２の隙間部Ｄの凹部１３と対向する領域において、円弧状をなす吸湿部材５０を、周りに隙間を空けて収容するべく円弧状に形成されている。
すなわち、凹部２３は、吸湿部材５０が挿着された状態で、吸湿部材５０の周りに隙間ができるように形成されているため、吸湿部材５０がその吸湿能力の限界を超えても、水滴等を周りの隙間に溜めることができ、吸収されなかった水滴等の侵入を確実に防止することができる。
【００２８】
溝部２４は、図４及び図６に示すように、隔離壁部２２に隣接する領域において、吸湿部材５０よりも開口部２１側寄りでかつバリヤ部材３０の揺動範囲に亘って円弧状に形成されている。溝部２４は、後端面１１ａ及び前端面２１ａにより画定される隙間から内部に入り込んできた水滴等を溜めて、さらに内部に流れ込むのを抑制する作用をなすものである。
【００２９】
支軸２５は、図２及び図６に示すように、バリヤ部材３０の円孔３３に挿入されて、バリヤ部材３０を揺動自在に支持するように形成されている。
貫通孔２６は、開口部１１，２１から後退した開放位置と開口部１１，２１に臨む閉鎖位置との間において、バリヤ部材３０を往復動させるべく、アクチュエータ４０の駆動ピン４１ａが移動するのを許容するように形成されている。
【００３０】
バリヤ部材３０は、図２ないし図４に示すように、光軸Ｌに垂直な平面内において揺動自在にカバー１０及びベース２０により画定される内部空間に配置されており、後端面１１ａと前端面２１ａにより画定される隙間を移動し得ると共に隔離壁部１２，２２により画定される隙間部Ｄを移動し得る厚さをなす薄板状部材により形成され、円形の遮蔽部３１、遮蔽部３１から伸長する腕部３２、腕部３２に位置する円孔３３及び長孔３４等を備えている。
【００３１】
遮蔽部３１は、図２に示すように、開口部１１，２１を完全に閉鎖し得る径寸法に形成されている。
腕部３２は、図２ないし図４、図７に示すように、隔離壁部１２，２２により画定される隙間部Ｄを通して揺動自在に形成され、この隙間部Ｄの領域において、その前面３２ａがカバー１０（の凹部１３）に固着された吸湿部材５０と摺動自在に接触し、その後面３２ｂがベース２０（の凹部２３）に固着された吸湿部材５０と摺動自在に接触している。
円孔３３は、図２ないし図４に示すように、ベース２０の支軸２５が挿入されるように形成されている。
長孔３４は、図２ないし図４に示すように、アクチュエータ４０の駆動ピン４１ａが挿入されるように形成されている。
そして、バリヤ部材３０は、図２に示すように、開口部１１，２１に臨む閉鎖位置と、図３に示すように、開口部１１，２１から後退した開放位置との間を往復動して、開口部１１，２１の開閉動作を行うようになっている。
【００３２】
アクチュエータ４０は、図２ないし図４に示すように、ベース２０の背面に固定されており、所定の角度範囲を回動するロータ４１、ロータ４１を回動自在に支持する枠部材（不図示）、枠部材の周りに巻回された励磁用のコイル（不図示）、コイルの周りに配置された円筒状のヨーク４２等を備えている。
ロータ４１は、ベース２０の貫通孔２６を通して、カバー１０及びベース２０の外壁部及び隔離壁部１２，２２により画定される内部の領域Ａまで伸長し、バリヤ部材３０の長孔３４に挿入される駆動部としての駆動ピン４１ａを一体的に備えている。
尚、アクチュエータ４０は、領域Ａに配置される駆動部として、前述の構成に限定されるものではなく、例えば、電気配線、電子部品、機構部品等を含んでいてもよい。
【００３３】
吸湿部材５０は、図２ないし図７に示すように、吸湿素材、吸水速乾素材等を含む吸湿繊維、吸湿樹脂等用いて、断面が略矩形をなす円弧状に成形され、図２ないし図４に示すように、カバー１０の凹部１３内に、凹部１３の内壁面と隙間をおいて挿入されて固着され、又、図２ないし図４に示すように、ベース２０の凹部２３内に、凹部２３の内壁面と隙間をおいて挿入されて固着されている。
尚、吸湿部材５０を形成する素材としては、吸放湿物質、例えばポリアクリレートをエマルジョン化しポリマライズ（重合）して、ポリエステルに固着した吸湿素材、あるいは、合成繊維などで繊維を多孔化し又は毛細管現象を利用して吸水性（吸湿性）を向上させた吸水速乾素材等を用いることができる。また、汎用性のある素材を用いることで、低コスト化を達成しつつ、種々の要求に応じた形状に容易に成形することができる。
【００３４】
そして、カバー１０に設けられた吸湿部材５０は、図４及び図７に示すように、隔離壁部１２，２２の領域において、隙間部Ｄに露出して（バリヤ部材３０の）腕部３２の前面３２ａと接触するように配置され、ベース２０に設けられた吸湿部材５０は、図４及び図７に示すように、隔離壁部１２，２２の領域において、隙間部Ｄに露出して（バリヤ部材３０の）腕部３２の後面３２ｂと接触するように配置されている。
【００３５】
ここで、吸湿部材５０とバリヤ部材３０との接触状態は、バリヤ部材３０の厚さによっても異なるが、例えば図７に示すように、バリヤ部材３０の移動に対して殆ど抵抗を及ぼさない程度に若干変形して接触した状態、あるいは、殆ど変形しないで接触した状態、あるいは密着するように変形して接触した状態等、バリヤ部材３０の形態に応じて種々の接触状態を適用することができる。
尚、水滴等はその表面張力により、微小隙間を通り抜けることができないため、この通過不能な隙間を開けて、二つの吸湿部材５０，５０が対向するように配置され、その隙間にバリヤ部材３０（の腕部３２）が摺動自在に配置されてもよい。
【００３６】
上記構成をなすバリヤ装置によれば、隔離壁部１２，２２に隣接する領域の開口部１１，２１寄りに溝部１４，２４を設け、隔離壁部１２，２２により画定される隙間部Ｄの領域に吸湿部材５０，５０を配置したことにより、バリヤ部材３０がケース（カバー１０及びベース２０）内おいて移動して開口部１１，２１を開閉する際に、バリヤ部材３０の周りを伝わって侵入してきた水滴等は、先ず、溝部１４，２４にて捕えられ、続けて吸湿部材５０，５０で吸収されて、駆動ピン４１ａ等その他の駆動部（配線、電子部品等）が配置された領域Ａへの侵入が防止される。
【００３７】
すなわち、開口部１１，２１から隙間部Ｄに入り込む水滴等は、吸湿部材５０，５０に至る前に溝部１４、２４に入り込ませて溜めることができ、溝部１４，２４で溜められた水滴等は、場合によっては開口部１１，２１から再び外部に排出させることができ、一方、溝部１４，２４から隔離壁部１２，２２の隙間部Ｄへ入り込んだ場合は吸湿部材５０，５０により吸収することができる。このように、二段構えの防滴作用及び吸湿部材との相乗効果により、水滴等の侵入を確実に防止することができる。
これにより、簡単な構造にて、低コスト化を達成しつつ、アクチュエータ４０及びその他の関連する電子部品等を水滴等から保護することができる。
【００３８】
特に、カバー１０及びベース２０により、バリヤ部材３０の腕部３２を移動自在に通す隙間部Ｄを画定し、この隙間部Ｄの領域に吸湿部材５０，５０を配置したことにより、バリヤ部材３０の円滑な揺動を許容しつつ、開口部１１，２１から隙間部Ｄに入り込んできた水滴等を、吸湿部材５０により確実に吸収させて、領域Ａ内へ侵入するのを防止することができる。
また、バリヤ部材３０を収容するケースがニ分割可能なカバー１０及びベース２０により形成されているため、バリヤ部材３０を通す隙間部Ｄを容易に画定することができ、又、この隙間部Ｄの領域に容易に吸湿部材５０，５０を配置して固着することができる。
【００３９】
図８ないし図１０は、本発明に係るバリヤ装置の他の実施形態を示すものである。この実施形態においては、前述の実施形態における隔離壁部１２，２２、溝部１４，２４等を廃止し、カバー１０及びベース２０の内部に直接吸湿部材５０´，５０´を配置した以外は、前述の実施形態と同一であるため、同一の構成については同一の符号を付して説明を省略する。
【００４０】
すなわち、この装置Ｍは、図８ないし図１０に示すように、カバー１０´、ベース２０´、バリヤ部材３０、アクチュエータ４０、吸湿部材５０´，５０´を備えている。
カバー１０´は、図８及び図９に示すように、略矩形の輪郭をなすように形成され、後端面１１ａをもつ開口部１１、バリヤ部材３０を揺動自在に支持する支軸２５を嵌合する嵌合穴１５、バリヤ部材３０を揺動自在にガイドするガイド面１７等を備えている。
ベース２０´は、図８及び図１０に示すように、略矩形の輪郭をなすように形成され、前端面２１ａをもつ開口部２１、バリヤ部材３０を揺動自在に支持する支軸２５、貫通孔２６、バリヤ部材３０を揺動自在にガイドするガイド面２７等を備えている。
二つの吸湿部材５０´，５０´は、図８ないし図１０に示すように、カバー１０´の内壁面及びベース２０´の内壁面にそれぞれ固着されて、お互いに対向するように配置されて、バリヤ部材３０の腕部３２を挟み込むように接触している。
【００４１】
すなわち、吸湿部材５０´，５０´は、バリヤ部材３０の移動（揺動）を許容しつつ、バリヤ部材３０の両面（腕部３２の前面３２ａと後面３２ｂ）に接触するように配置されている。
これによれば、バリヤ部材３０がケース（カバー１０´及びベース２０´により画定される空間）内おいて移動して開口部１１，２１を開閉する際に、バリヤ部材３０の周りを伝わって侵入してきた水滴等は、吸湿部材５０´，５０´で吸収されて、駆動ピン４１ａ等が配置された領域Ａへの侵入が防止される。これにより、簡単な構造にて、低コスト化を達成しつつ、アクチュエータ４０及びその他の関連する電子部品等を水滴等から保護することができる。
【００４２】
図１１は、本発明に係るバリヤ装置のさらに他の実施形態を示すものである。この実施形態においては、前述の図８ないし図１０に示す実施形態における一方の吸湿部材５０´を廃止して、隔離壁部１２´を設けた以外は、前述の実施形態と同一であるため、同一の構成については同一の符号を付して説明を省略する。
すなわち、この装置Ｍは、図１１に示すように、カバー１０´´、ベース２０´、バリヤ部材３０、アクチュエータ４０、一つの吸湿部材５０´を備えている。
カバー１０´´は、図１１に示すように、略矩形の輪郭をなすように形成され、後端面１１ａをもつ開口部１１、ベース２０´に設けられた吸湿部材５０´と対向するように突出して形成された隔離壁部１２´´、バリヤ部材３０を揺動自在に支持する支軸２５を嵌合する嵌合穴１５、バリヤ部材３０を揺動自在にガイドするガイド面１７等を備えている。
【００４３】
すなわち、カバー１０´´の隔離壁部１２´´は、（バリヤ部材３０の）腕部３２の前面３２ａと接触するか僅かな隙間をおいて対向し、ベース２０´の吸湿部材５０´は、バリヤ部材３０の移動（揺動）を許容しつつ、腕部３２の後面３２ｂと接触している。
これによれば、バリヤ部材３０がケース（カバー１０´´及びベース２０´により画定される空間）内おいて移動して開口部１１，２１を開閉する際に、バリヤ部材３０の周りを伝わって侵入してきた水滴等は、一方の隔離壁部１２´´に遮断されると共に吸湿部材５０´に吸収されて、駆動ピン４１ａ等が配置された領域Ａへの侵入が防止される。これにより、簡単な構造にて、低コスト化を達成しつつ、アクチュエータ４０及びその他の関連する電子部品等を水滴等から保護することができる。
【００４４】
図１２ないし図１４は、本発明に係るバリヤ装置のさらに他の実施形態を示すものである。この実施形態においては、前述の図８ないし図１０に示す実施形態において、カバー１０´及びベース２０´にそれぞれ二つずつ吸湿部材５０´を設けた以外は、前述の実施形態と同一であるため、同一の構成については同一の符号を付して説明を省略する。
すなわち、この装置Ｍは、図１２ないし図１４に示すように、カバー１０´、ベース２０´、バリヤ部材３０、アクチュエータ４０、４つの吸湿部材５０´を備えている。
【００４５】
吸湿部材５０´は、カバー１０´の内壁面において、開口部１１から駆動部すなわち駆動ピン４１ａが配置される領域Ａに向う方向において、バリヤ部材３０に沿って所定の間隔をおいて２つ配置されている。
また、吸湿部材５０´は、ベース２０´の内壁面において、開口部２１から駆動部すなわち駆動ピン４１ａが配置される領域Ａに向う方向において、バリヤ部材３０に沿って所定の間隔をおいて２つ配置されている。
【００４６】
これによれば、開口部１１，２１から駆動部（駆動ピン４１ａ等）が配置される領域Ａに通じる領域（隙間部）において、バリヤ部材３０に沿って２つずつの吸湿部材５０´，５０´合計４つの吸湿部材５０´，５０´，５０´，５０´が配置されているため、多段的な吸湿（吸収）作用を得ることができる。
したがって、開口部１１，２１から後端面１１ａ及び前端面２１ａにより画定される隙間を通して入り込んできた水滴等の量が多い場合でも、多段的な吸湿（吸収）作用により、水滴等が領域Ａに侵入するのを確実に防止することができる。
【００４７】
上記実施形態においては、バリヤ部材として一枚のバリヤ部材３０を示したが、これに限定されるものではなく、二枚のバリヤ部材を採用してもよい。
上記実施形態においては、バリヤ部材として、支軸２５回りに揺動して開口部１１，２１を開閉するタイプのものを示したが、これに限定されるものではなく、直線的に往復動して開口部を開閉するバリヤ部材において、本発明の吸湿部材を適用してもよい。
上記実施形態においては、開口部１１，２１として円筒状のものを示し、楕円形あるいは矩形をなす場合においても、本発明を適用することができる。
上記実施形態においては、吸湿部材５０，５０´の形状として、欄面が略矩形をなすものを採用した場合を示したが、これに限定されるものではなく、円形断面あるいは楕円断面をなすものを採用してもよい。
【産業上の利用可能性】
【００４８】
以上述べたように、本発明のバリヤ装置は、構造の簡素化、低コスト化等を達成しつつ、バリヤ部材３０を円滑に開閉させることができると共に、バリヤ部材３０の移動を許容する隙間領域（隙間部Ｄ）から駆動源（アクチュエータ４０）等が配置された内部領域Ａに向けて、水滴、他の液体、その他の異物等が侵入するのを確実に防止することができるため、レンズに限らず、ＮＤフィルタやＮＤフィルタ羽根、シャッタ羽根、絞り羽根等を備えた携帯型のデジタルカメラ、携帯電話機等に搭載されるモバイルカメラ等に適用できるのは勿論のこと、防塵、特に防滴等の対策を要するものであれば、その他のカメラにも有用である。
【図面の簡単な説明】
【００４９】
【図１】本発明に係るバリヤ装置を搭載したデジタルカメラを示す外観斜視図である。
【図２】本発明に係るバリヤ装置の平面図である。
【図３】本発明に係るバリヤ装置の平面図である。
【図４】本発明に係るバリヤ装置の断面図である。
【図５】本発明に係るバリヤ装置のケースをなすカバーの内部を示す平面図である。
【図６】本発明に係るバリヤ装置のケースをなすベースの内部を示す平面図である。
【図７】図４中のＥ−Ｅにおける部分断面図である。
【図８】本発明に係るバリヤ装置の他の実施形態を示す断面図である。
【図９】図８に示すバリヤ装置のケースをなすカバーの内部を示す平面図である。
【図１０】図８に示すバリヤ装置のケースをなすベースの内部を示す平面図である。
【図１１】本発明に係るバリヤ装置のさらに他の実施形態を示す断面図である。
【図１２】本発明に係るバリヤ装置のさらに他の実施形態を示す断面図である。
【図１３】図１２に示すバリヤ装置のケースをなすカバーの内部を示す平面図である。
【図１４】図１２に示すバリヤ装置のケースをなすベースの内部を示す平面図である。
【符号の説明】
【００５０】
Ｃ  デジタルカメラ
Ｃ１  開口部
Ｍ  バリヤ装置
Ｇ  レンズ
Ｌ  光軸
Ｆ  前側
Ｒ  後側
Ｄ  隙間部
Ａ  駆動部が配置された領域
１０，１０´，１０´´  カバー
１１  前側の開口部
１１ａ  後端面
１２，１２´´  隔離壁部
１３  凹部
１４  溝部
１５  嵌合穴
１７  ガイド面
２０，２０´  ベース
２１  後側の開口部
２１ａ  前端面
２２  隔離壁部
２３  凹部
２４  溝部
２５  支軸
２６  貫通孔
２７  ガイド面
３０  バリヤ部材
３１  遮蔽部
３２  腕部
３２ａ  前面
３２ｂ  後面
３３  円孔
３４  長孔
４０  アクチュエータ
４１  ロータ
４１ａ  駆動ピン（駆動部）
４２  ヨーク
５０，５０´  吸湿部材
【図１】
2009098486.tif 000003
【図２】
2009098486.tif 000004
【図３】
2009098486.tif 000005
【図４】
2009098486.tif 000006
【図５】
2009098486.tif 000007
【図６】
2009098486.tif 000008
【図７】
2009098486.tif 000009
【図８】
2009098486.tif 000010
【図９】
2009098486.tif 000011
【図１０】
2009098486.tif 000012
【図１１】
2009098486.tif 000013
【図１２】
2009098486.tif 000014
【図１３】
2009098486.tif 000015
【図１４】
2009098486.tif 000016